(57)【要約】【課題】キャビネット端面の水濡れに強く、施工時にボウルの位置を微調整することも簡単にできる施工性に優れた洗面化粧台およびその組立方法を実現する。【解決手段】洗面化粧台１は、キャビネット２と、キャビネット２の側板７の上面２６に取り付けられたエッジカバー６と、キャビネット２の上方に固定される洗面ボウル３と、を備えており、洗面ボウル３の下面１０とエッジカバー６には、一方向のみの移動を許容するファスナ８が挿通され、ファスナ８によって洗面ボウル３とキャビネット２とが固定されており、洗面ボウル３の下面１０には、キャビネット２の両側の側板７に対応する位置にファスナ８の係合部４０が嵌入されるための溝部１２が形成されている。【選択図】図６
2015036076.tif 000002
【特許請求の範囲】
【請求項１】
キャビネットと、前記キャビネットの側板上面に取り付けられたエッジカバーと、前記キャビネットの上方に固定される洗面ボウルと、を備えた洗面化粧台であって、前記洗面ボウルの下面と前記エッジカバーには、一方向のみの移動を許容するファスナが挿通されており、前記ファスナによって前記洗面ボウルと前記キャビネットとが固定されていることを特徴とする洗面化粧台。
【請求項２】
前記洗面ボウルの下面には、前記キャビネットの両側の側板に対応する位置に前記ファスナの係合部が嵌入されるための溝部が形成されていることを特徴とする請求項１に記載の洗面化粧台。
【請求項３】
前記ファスナの他方向への移動方向を規制するためのロック部が、前記エッジカバーに形成されていることを特徴とする請求項１または２に記載の洗面化粧台。
【請求項４】
前記エッジカバーは、前記ロック部のロックを解除して前記ファスナを他方向へ移動可能な状態とするためのロック解除部をさらに備えることを特徴とする請求項３に記載の洗面化粧台。
【請求項５】
前記キャビネットの側板上面に形成された係合孔と、前記エッジカバー下面に形成された係合突起とによって、前記エッジカバーが前記キャビネットの側板上面に取り付けられていることを特徴とする請求項１から４のいずれか１項に記載の洗面化粧台。
【請求項６】
前記エッジカバーは、前記キャビネットの側板上面を保護するための垂下部を備えたコの字状の断面を有していることを特徴とする請求項１から５のいずれか１項に記載の洗面化粧台。
【請求項７】
請求項１から６のいずれか１項に記載の洗面化粧台を組立てる組立方法であって、前記キャビネットの側板上面に前記エッジカバーを取り付ける第１の工程と、前記エッジカバーに前記ファスナを仮挿入する第２の工程と、前記キャビネットに前記洗面ボウルを載置する第３の工程と、前記洗面ボウルを前記キャビネットに対し適正な位置に調整配置するとともに、前記ファスナを下方向に引っ張ることによって前記洗面ボウルを前記キャビネットに本固定する第４の工程とを有することを特徴とする洗面化粧台の組立方法。
【発明の詳細な説明】
【技術分野】
【０００１】
本発明は、洗面化粧台及びその組立方法に関するものである。
【背景技術】
【０００２】
従来、洗面化粧台において、洗面ボウルをキャビネットの上に載せて固定する手段として、両面テープを用いて行うことが多い。このように両面テープを用いて固定すると、洗面ボウルをキャビネットに載せて接着し、固定した後は、位置調整が出来ないので、位置ずれしないように慎重に載せる必要があり、作業性が悪い。
【０００３】
また、キャビネットの側板端面が水に濡れた状態が続くと端面が傷んでくるという問題がある。例えば、洗面ボウルと接している側板が、表面に化粧シートを貼り付けられている構成である場合は、洗面ボウルから伝わった水により側板の端部が濡れた状態が続くと、側板の上端部から化粧シートが膨れて剥がれが発生する問題点がある。
【０００４】
ところで、従来、洗面ボウルをキャビネットの上に載せて固定する構成として、例えば、次のような発明が知られている。洗面器の垂下壁を洗面キャビネットの載置段部に外装して位置決めを図り、洗面器のがたつきを抑え、構造安定性を高めようとする洗面器の取付け構造に関する発明が提案されている（特許文献１参照）。
【０００５】
また、キャビネットの端面にズレ防止用サッシを介在させて洗面ボウルをキャビネットに固定することで、キャビネットの側板に載置した洗面ボールの側壁板が側方にずれないようにする洗面ボール取付構造に関する発明が提案されている（特許文献２参照）。
【０００６】
さらに、洗面器とベースキャビネットとから成る洗面キャビネットに関し、ベースキャビネットを構成する側板の上端部に接着補助具が着脱可能に固定され、接着補助具に洗面器が接着されている構成とすることで、洗面器をベースキャビネットから取り外すときには両者の分離が簡単に行え洗面器又はベースキャビネットの交換作業が容易であり、交換作業の際、ベースキャビネットに対し損傷が生じることのないようにする洗面キャビネット発明が提案されている（特許文献３参照）。
【先行技術文献】
【特許文献】
【０００７】
【特許文献１】特開２００１−２４５８０１号公報
【特許文献２】特開２００２−１２５８７１号公報
【特許文献３】特開２００６−０６１４５９号公報
【発明の概要】
【発明が解決しようとする課題】
【０００８】
引用文献１記載の発明は、洗面キャビネットの側板部の上面にリブを形成し、このリブとリブに装着する洗面器の取り付け構造を特殊な形状にする必要があり、構造的に複雑な構成となる。
【０００９】
また、引用文献２記載及び引用文献３記載の発明は、洗面ボウルをキャビネットに固定する手段として、固定具及び接着剤補助具を介してボルト及びネジで固定する構成であるから、施工時にボウルの位置を微調整することが難しい。
【００１０】
本発明は、上記従来の問題を解決することを目的とするものであり、簡単な構造であって、キャビネット端面の水濡れに強く、しかも施工時にボウルの位置を簡単に微調整することができる施工性に優れた洗面化粧台およびその組立方法を実現することを課題とする。
【課題を解決するための手段】
【００１１】
本発明は、上記課題を解決するために、キャビネットと、前記キャビネットの側板上面に取り付けられたエッジカバーと、前記キャビネットの上方に固定される洗面ボウルと、を備えた洗面化粧台であって、前記洗面ボウルの下面と前記エッジカバーには、一方向のみの移動を許容するファスナが挿通されており、前記ファスナによって前記洗面ボウルと前記キャビネットとが固定されていることを特徴とする洗面化粧台を提供する。
【００１２】
前記洗面ボウルの下面には、前記キャビネットの両側の側板に対応する位置に前記ファスナの係合部が嵌入されるための溝部が形成されていることが好ましい。
【００１３】
前記ファスナの他方向への移動方向を規制するためのロック部が、前記エッジカバーに形成されていることが好ましい。
【００１４】
前記エッジカバーは、前記ロック部のロックを解除して前記ファスナを他方向へ移動可能な状態とするためのロック解除部をさらに備えることが好ましい。
【００１５】
前記キャビネットの側板上面に形成された係合孔と、前記エッジカバー下面に形成された係合突起とによって、前記エッジカバーが前記キャビネットの側板上面に取り付けられていることことが好ましい。
【００１６】
前記エッジカバーは、前記キャビネットの側板上面を保護するための垂下部を備えたコの字状の断面を有していることことが好ましい。
【００１７】
本発明は、上記課題を解決するために、上記洗面化粧台を組立てる組立方法であって、前記キャビネットの側板上面に前記エッジカバーを取り付ける第１の工程と、前記エッジカバーに前記ファスナを仮挿入する第２の工程と、前記キャビネットに前記洗面ボウルを載置する第３の工程と、前記洗面ボウルを前記キャビネットに対し適正な位置に調整配置するとともに、前記ファスナを下方向に引っ張ることによって前記洗面ボウルを前記キャビネットに本固定する第４の工程とを有することを特徴とする洗面化粧台の組立方法を提供する。
【発明の効果】
【００１８】
本発明によれば、キャビネットの側板上面にエッジカバーを取り付け、エッジカバーに一方向のみの移動を許容するファスナを挿通し、このファスナによって洗面ボウルとキャビネットを固定する構成を採用したので、キャビネット端面の水濡れに強くなり、施工性に優れ、しかも施工時にボウルの位置を簡単に微調整することが可能となる。
【図面の簡単な説明】
【００１９】
【図１】本発明に係る洗面化粧台の実施例を説明する図であり、（ａ）は洗面化粧台の斜視図であり、（ｂ）は洗面化粧台の洗面ボウルの下面を示す図であり、（ｃ）は洗面化粧台のボウルの要部断面図である。
【図２】上記実施例の洗面化粧台を組立前の構成部品を説明する図である。
【図３】上記実施例に使用するエッジカバーを説明する図であり、（ａ）はエッジカバーの全体構成を示す斜視図であり、（ｂ）はファスナの要部を平面図であり、（ｃ）はファスナ挿通係止具の側面図であり、（ｄ）ファスナ挿通係止具の作用を説明するための垂直断面図である。
【図４】上記実施例に使用するファスナを説明する図であり、（ａ）はファスナの全体構成を示す側面図及びその一部拡大斜視図であり、（ｂ）、（ｃ）はファスナの係合部の変形例を示す図であり、（ｄ）、（ｅ）はファスナをファスナ挿通係止具に挿通した状態を示す側面図及び斜視図である。
【図５】（ａ）、（ｂ）は、上記実施例の洗面化粧台の組立方法を説明する図である。
【図６】（ａ）〜（ｃ）は、上記実施例の洗面化粧台の組立方法を説明する図である。
【発明を実施するための形態】
【００２０】
本発明に係る洗面化粧台及びその組立方法を実施するための形態を実施例に基づき図面を参照して、以下説明する。
【００２１】
（実施例）
本発明に係る洗面化粧台及びその組立方法の実施例を図１〜６によって説明する。本発明に係る洗面化粧台１は、図１（ａ）に示すように、キャビネット２の上に洗面ボウル３が固定されて成る構成である。         
【００２２】
より具体的には、洗面化粧台１は、組立前の構成部品を図２に示すが、洗面ボウル３がエッジカバー６を介し、キャビネット２の側板７の上面の上に載置され、ファスナ８によってキャビネット２上に固定されている構成である。       
【００２３】
洗面ボウル３は、その一例を図２に示すが、キャビネット２上に載置されて取り付けられる構成であれば、その他いろいろな形状のものでも良い。図１（ｂ）に示すように、洗面ボウル３の下面１０の周枠１１には、図１（ｂ）に示すように、複数の係合用の溝部１２が形成されている。
【００２４】
この溝部１２は、例えば、周枠１１に沿うように平面視で長方形に形成されている。溝部１２には、図１（ｃ）にその断面形状を示すように、その下部に左右の係合縁１３が左右から張り出すように形成され、その間は狭い開口１４となっている。後記するが、この開口１４からファスナ８の係合部４０は溝部１２内に嵌入される。
【００２５】
エッジカバー６は、図３（ａ）に示すように、長細く伸びる頂部１９と、頂部１９の両側から下方に垂下する垂下部２０を備えており、長手方向に直交する垂直断面はコの字状に形成されている。エッジカバー６の頂部１９の下面には、図３（ｂ）、（ｃ）に示すように、係合突起（ダボ）２１が下方に突出するように形成されている。エッジカバー６の垂下部２０は、片側のみに形成されるのでもよく、または形成されないものでもよい。
【００２６】
この係合突起２１は、弾力性を有し、長手方向に間隔をおいて複数設けられており、例えば、縦スリットが設けられた係合脚部２２を備えている。係合突起２１は、キャビネット２の側板７の上面２６に形成された係合孔２８（図２、図５（ａ）参照）に係入して係合することで、エッジカバー６をキャビネット２の側板７の上面に固定するように構成されている。係合突起（ダボ）２１の形状はこれに限らず、弾性を有さないものを採用することもできる。
【００２７】
エッジカバー６は、樹脂材等で形成されており、その頂部１９と垂下部２０によって、側板７の上端部２５、即ち、側板７の上面２６及び側板７の上面に連続する側板７の内外面の上縁部２７（図３（ｄ）、図５（ｂ）参照）を、水や湿気等から保護することができる。
【００２８】
エッジカバー６には、その長手方向に間隔をおいて複数（本実施例では３つ）のファスナ挿通係止具３０が設けられている。ファスナ挿通係止具３０は、垂下部２０の外面にエッジカバー６と一体で形成されていることが好ましいが、別体で形成しエッジカバーに一体的に固定してもよい。
【００２９】
ファスナ挿通係止具３０は、いろいろな構成が考えられるが、その一例を、図３（ｂ）〜（ｄ）を参照して説明する。ファスナ挿通係止具３０は、垂下部２０から外側方に張り出した枠部３１と、枠部３１で囲まれたファスナ挿通孔３２と、枠部３１の外側部３３からファスナ挿通孔３２のファスナ通路に突出するロック部３４と、ロック部３４を枠部３１の外側部側に引いてのロックを解除するためのロック解除部３５と、を備えている。
【００３０】
ロック部３４は、ある程度の弾力性を有し、常時は、図３（ｄ）に示すように、ファスナ挿通孔３２のファスナ通路に突出しロック位置にあるが、ロック解除部３５で引く（図３（ｄ）の矢印ア参照）ことによって、弾性的に変形し、枠部３１の外側部側のファスナ挿通孔３２のファスナ通路から退避する位置まで移動する（図３（ｄ）の矢印イ参照）ように構成されている。
【００３１】
なお、ファスナ挿通係止具３０は、ロック部３４も含めて一体で弾力性を有する樹脂材で形成するが、樹脂材の弾力性の度合いによっては、図３（ｄ）に２点鎖線で示すように、ロック部３４と枠部３１の外側部３３の間にＶ字形の板バネ部材３６を装着しロックする力を強めてもよい。
【００３２】
ファスナ８は、弾力性を有する樹脂材で形成されており、図４（ａ）に示すように、係合部４０、鋸歯部４１及び引っ張り部４２を備えている。係合部４０は、洗面ボウル３の下面に形成された係合用の溝部１２に開口１４を通して嵌入し係合可能なように、側面視で矢印状（図４（ａ）参照）に形成されている。係合部は、図４（ｂ）、（ｃ）に示すような傘状の係合部４３としてもよい。   
【００３３】
鋸歯部４１は、係合部４０から下方に伸び、図４（ａ）中に拡大図で示すように、側面には複数の鋸歯４４が形成されており、その構成は、いわゆる結束バンド等に形成されている構造と略同様である。引っ張り部４２は、鋸歯部４１の下端から下方に伸びており、作業者が把持してファスナ８を下方に引っ張ることができる構成となっている。
【００３４】
図３（ｄ）、図４（ｄ）、（ｅ）は、ファスナ８を、その引っ張り部４２の側からファスナ挿通係止具３０のファスナ挿通孔３２に挿通した状態を示す図である。ファスナ８は、ファスナ挿通係止具３０に挿通した状態では、一方向（係合部４０をファスナ挿通係止具３０に近づける方向。図３（ｄ）において矢印ウの方向）への移動は許容される。
【００３５】
しかし、図３（ｄ）に示すように、鋸歯部４１の鋸歯４４はロック部３４に係合するために、ファスナ８の他方向（ファスナ挿通係止具３０から抜く方向。図３（ｄ）において矢印ウと反対の方向）への移動はロックされ許容されない。ロック解除部３５によって、ロック部３４をファスナ挿通孔３２から退避する方向へ引けば、ロックが解除されて、ファスナ８を他方向への移動が許容される。             
【００３６】
（洗面化粧台の組立方法）        
本発明に係る洗面化粧台の組立方法、及び組み立てられた洗面化粧台の構成、作用について、以下さらに説明する。洗面化粧台の組立は、例えば次の工程で行われる。
【００３７】
（１）第一の工程              
キャビネット２の側板７の上面にエッジカバー６を取り付ける。具体的には、エッジカバー６を、図５（ａ）の状態から図５（ｂ）に示すように、上方からキャビネット２の側板７の上面２６に嵌合し、エッジカバー６の係合突起２１（図３（ｂ）、（ｃ）参照）を、キャビネット２の側板７の上面２６に形成された係合孔２８に係入して、エッジカバー６をキャビネット２の側板７の上面２６に固定する。
【００３８】
（２）第二の工程
ファスナ８の係合部４０を、洗面ボウル３の下面に形成された開口１４から溝部１２内に嵌合して係合させ、図６（ａ）に示すように、ファスナ８を洗面ボウル３に吊持される状態に取り付ける。
【００３９】
（３）第三の工程
洗面ボウル３を、エッジカバー６が取り付けられたキャビネット２の側板７の上面２６の上に載置する。この載置の際に、洗面ボウル３に取り付けられたファスナ８を、その引っ張り部４２の先端からエッジカバー６のファスナ挿通係止具３０に挿通し、図３（ｄ）、図６（ｂ）に示すような仮挿入の状態とする。
【００４０】
（４）第四の工程
洗面ボウル３を、キャビネット２に対し適正な位置に調整配置する。この調整配置は、洗面ボウル３の溝部１２において、ファスナ８の係合部４０をキャビネット２の側板７の長手方向に適宜移動することで、ファスナ８の位置を微調整して行う。
【００４１】
そして、このような調整配置が完了してから、ファスナ８の引っ張り部４２をファスナ挿通係止具３０に対して一方向（下方向）に相対的に引っ張ると、ファスナ８は、その鋸歯部４１がロック部３４でロックされることなく、エッジカバー６のファスナ挿通係止具３０に対して一方向に移動する。
【００４２】
これにより、ファスナ８の係合部４０で、溝部１２の係合縁１３を、下方に押しエッジカバー６を介して側板７の上面２６に押圧し、係合部４０とエッジカバー６が取り付けられたキャビネット２によって、溝部１２の係合縁１３を挟持する。
【００４３】
しっかりと挟持したところで、ファスナ８の下方向への引っ張りを止めると、図３（ｄ）に示すように、ファスナ８の鋸歯部４１はロック部３４でロックされ他方への移動は許容されない状態となり、洗面ボウル３をキャビネット２に本固定（最終的に固定）される。
【００４４】
以上の工程によって、本発明に係る洗面化粧台１は、図６（ｃ）に示すように、上方から洗面ボウル３が、エッジカバー６を介し、キャビネット２の側板７の上面２６上に載置され、洗面ボウル３の溝部１２の係合縁１３は、ファスナ８の係合部４０とキャビネット２の側板７の上面２６によって挟持されて、キャビネット２上に固定された状態の構成となる。
【００４５】
以上の構成から成る本発明に係る洗面化粧台１は、断面コの字形のエッジカバー６で、図３（ｄ）、図６（ｂ）、（ｃ）に示すように、キャビネット２の側板７の上端部２５（側板７の上面２６及び側板７の上縁部２７）が覆われているので、洗面ボウル２から伝わり落ちてくる水により側板７の上端部２５が濡れて上端部２５から側板７の表面に形成された化粧シートが膨れ剥がれてしまう、という問題は解消される。
【００４６】
そして、本発明に係る洗面化粧台１の組立方法は、洗面ボウル３にファスナ８の係合部４０を係合して、ファスナ８をエッジカバー６のファスナ挿通係止具３０に仮挿通し、引っ張り部４２をファスナ挿通係止具３０に対して相対的に引っ張ることで、洗面ボウル３を、エッジカバー６を介してキャビネット２の側板７の上面２６に押しつけ、ファスナ８をロック部３４でロックし、洗面化粧台１をキャビネット２に本固定するので、比較的、簡単な構成で、容易に洗面ボウル３をキャビネット２に取り付けることが可能となる。
【００４７】
また、エッジカバー６のファスナ挿通係止具３０に仮挿通した段階で、洗面ボウル３をキャビネット２に対して調整配置できるので、洗面ボウル３を、キャビネット２に適正な位置に固定して取り付けることが簡単となる。
【００４８】
以上、本発明に係る洗面化粧台及びその組立方法を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４９】
本発明に係る洗面化粧台及びその組立方法は上記のような構成であるから、洗面化粧台への利用だけでなく、ボウルをキャビネット上に載置し固定する構成であれば、洗面化粧台以外の設備にも適用可能である。
【符号の説明】
【００５０】
１  洗面化粧台                                   
２  キャビネット                                 
３  洗面ボウル                                   
６  エッジカバー                                 
７  キャビネットの側板                           
８  ファスナ                                     
１１  洗面ボウルの下面の周枠                     
１２  洗面ボウルの溝部                           
１３  洗面ボウルの係合縁                         
１４  洗面ボウルの溝部の開口                     
１９  エッジカバーの頂部                         
２０  エッジカバーの垂下部                       
２１  エッジカバーの係合突起（ダボ）             
２２  係合突起の係合脚部                         
２５  キャビネットの側板の上端部                 
２６  キャビネットの側板の上面                   
２７  キャビネットの側板の内外面の上縁部
２８  キャビネットの側板の上面の係合孔      
３０  ファスナ挿通係止具                         
３１  ファスナ挿通係止具の枠部                   
３２  ファスナ挿通孔                             
３３  枠部の外側部                               
３４  ファスナ挿通係止具のロック部               
３５  ファスナ挿通係止具のロック解除部           
３６  板バネ部材                                 
４０  ファスナの矢印状の係合部                   
４１  ファスナの鋸歯部                           
４２  ファスナの引っ張り部                       
４３  ファスナの傘状の係合部                     
４４  ファスナの鋸歯
【図１】
2015036076.tif 000003
【図２】
2015036076.tif 000004
【図３】
2015036076.tif 000005
【図４】
2015036076.tif 000006
【図５】
2015036076.tif 000007
【図６】
2015036076.tif 000008